(57)【要約】【課題】患者に対する適切な食品指導を簡単に行う。【解決手段】電子カルテ装置１０は、メインユニット１１，カルテＤＢ１２，薬剤情報ＤＢ１３，食品情報ＤＢ１４から構成される。メインユニット１１は、各ＤＢ１２〜１４とＬＡＮを介して接続されている。薬剤情報ＤＢ１３及び食品情報ＤＢ１４には、薬剤との関係で摂取に注意が必要な第１の注意食品情報と、傷病との関係で摂取に注意が必要な第２の注意食品情報とがそれぞれ格納されている。電子カルテ装置１０は、薬剤情報ＤＢ１３及び食品情報ＤＢ１４にアクセスして、カルテに含まれる診断病名や薬剤の処方内容に基づいて、第１及び第２の注意食品情報を検索する。【選択図】図１
2008217291.tif 000002
【特許請求の範囲】
【請求項１】
診断された傷病及びそれに対する薬剤の処方内容を含む患者の診療記録を電子化して管理する電子カルテ装置において、
前記診療記録の入力を受け付ける診療記録受付部と、
前記薬剤との併用摂取に注意が必要な第１の注意食品情報と、前記傷病に応じて摂取に注意が必要な第２の注意食品情報とを格納した注意食品情報格納部と、
前記注意食品情報格納部にアクセスして、前記第１及び第２の各注意食品情報を検索する注意食品情報検索部とを設けたことを特徴とする電子カルテ装置。
【請求項２】
前記傷病の名称と前記傷病に対して処方可能な薬剤名とを関連付けて格納した薬剤情報格納部と、
この薬剤情報格納部にアクセスして、前記処方可能な薬剤名を検索する薬剤情報検索部とを設けたことを特徴とする請求項１記載の電子カルテ装置。
【請求項３】
前記注意食品情報検索部によって検索された前記第１及び第２の各注意食品情報を薬剤毎にリスト表示する表示制御部を設けたことを特徴とする請求項２載の電子カルテ装置。
【請求項４】
前記第１及び第２の少なくとも一方の注意食品情報に基づいて、指定された食品が、前記患者が摂取可能な食品か否かを判定する摂取可否判定部を設けたことを特徴とする請求項１〜３いずれか記載の電子カルテ装置。
【請求項５】
前記傷病又は薬剤に応じて推奨される推奨食品情報を格納する推奨食品情報格納部と、
前記推奨食品情報格納部にアクセスして、前記推奨食品情報を検索する推奨食品情報検索部とを備えており、
前記摂取可否判定部は、検索された前記推奨食品情報が前記第１又は第２の食品注意情報に含まれるか否かを調べて、前記患者が摂取可能な食品か否かを判定することを特徴とする請求項４記載の電子カルテ装置。
【請求項６】
診断された傷病及びそれに対する薬剤の処方内容を含む診療記録の入力を受け付ける診療記録受付ステップと、
前記薬剤との併用摂取に注意が必要な第１の注意食品情報と、前記傷病に応じて摂取に注意が必要な第２の注意食品情報とが格納された注意食品情報記憶部にアクセスして、前記第１及び第２の各注意食品情報を検索する注意食品情報検索ステップとを含むことを特徴とする食品指導支援方法。
【発明の詳細な説明】
【技術分野】
【０００１】
本発明は、診療記録を電子化して管理する電子カルテ装置、及び患者の食品指導を支援する食品指導支援方法に関するものである。
【背景技術】
【０００２】
病院や診療所などの医療施設において、患者を診療した際の診療記録（カルテ）を電子化して管理する電子カルテ装置が周知である。こうした電子カルテ装置も、多様なユーザのニーズに応えるため、高機能化が進んでいる。主たるカルテ作成管理機能に加えて、付加される機能の代表的なものに処方支援機能がある。処方支援機能は、例えば患者に投与する薬剤の処方内容を入力すると、その処方内容に基づいて薬剤情報が格納された薬剤データベースを検索し、その薬剤の注意情報を応答する機能である。薬剤の注意情報には、その副作用や併用禁忌薬など処方の際に注意すべき情報が含まれている。こうした処方支援機能によって、処方内容の妥当性を簡単にチェックすることが可能になる。
【０００３】
ところで、近年、健康志向の高まりに伴って、ヘルシー食品や栄養補助食品（サプリメント）の需要が増加傾向にあり、こうした背景から、患者に対する食品指導を積極的に行う医療施設も増えつつある。そこで、こうした食品指導を支援する機能を、電子カルテ装置の付加機能として取り込むことが検討されている。
【０００４】
食品指導支援に応用できる技術として、特許文献１に記載されている食品提供方法がある。この食品提供方法では、個人の遺伝情報や病状に応じてその個人に適した推奨食品を提供する食品提供方法が記載されており、この方法では、食品の選定に当たって、遺伝情報、病状、健康状態など被検者の様々な要素を取り込んで、それらを詳細に分析することにより、推奨されるべき食品を選定している。
【特許文献１】特開２００３−２２３５１５号公報
【発明の開示】
【発明が解決しようとする課題】
【０００５】
しかしながら、医療施設において食品指導を行うに当たっては、推奨食品を提案することよりもむしろ、傷病や薬剤との関係で摂取に注意を要する注意食品を提示して、それらを摂取すべきではないことを知らせることの方が重要であり、従来の方法を単純に組み合わせるだけでは、適切な食品指導を行えないという問題があった。また、従来の方法は、様々な要因を詳細に分析して、食品選定を行っており、その分析方法は、具体的には明らかではないものの、その構成は非常に複雑になると予想される。こうした複雑な方法を電子カルテ装置の付加機能として採り入れるには、低コスト化や構成の簡素化の点からも懸念がある。
【０００６】
本発明は、患者に対する適切な食品指導を簡単な構成で行うことができる電子カルテ装置及び食品指導支援方法を提供することを目的とする。
【課題を解決するための手段】
【０００７】
本発明の電子カルテ装置は、診断された傷病及びそれに対する薬剤の処方内容を含む患者の診療記録を電子化して管理する電子カルテ装置において、前記診療記録の入力を受け付ける診療記録受付部と、前記薬剤との併用摂取に注意が必要な第１の注意食品情報と、前記傷病に応じて摂取に注意が必要な第２の注意食品情報とを格納した注意食品情報格納部と、前記注意食品情報格納部にアクセスして、前記第１及び第２の各注意食品情報を検索する注意食品情報検索部とを設けたことを特徴とする。
【０００８】
前記傷病の名称と前記傷病に対して処方可能な薬剤名とを関連付けて格納した薬剤情報格納部と、この薬剤情報格納部にアクセスして、前記処方可能な薬剤名を検索する薬剤情報検索部とを設けることが好ましい。
【０００９】
前記注意食品情報検索部によって検索された前記第１及び第２の各注意食品情報を薬剤毎にリスト表示する表示制御部を設けることが好ましい。
【００１０】
前記第１及び第２の少なくとも一方の注意食品情報に基づいて、指定された食品が、前記患者が摂取可能な食品か否かを判定する摂取可否判定部を設けることが好ましい。
【００１１】
前記傷病又は薬剤に応じて推奨される推奨食品情報を格納する推奨食品情報格納部と、
前記推奨食品情報格納部にアクセスして、前記推奨食品情報を検索する推奨食品情報検索部とを備えており、前記摂取可否判定部は、検索された前記推奨食品情報が前記第１又は第２の食品注意情報に含まれるか否かを調べて、前記患者が摂取可能な食品か否かを判定することが好ましい。
【００１２】
本発明の食品指導支援方法は、診断された傷病及びそれに対する薬剤の処方内容を含む診療記録の入力を受け付ける診療記録受付ステップと、前記薬剤との併用摂取に注意が必要な第１の注意食品情報と、前記傷病に応じて摂取に注意が必要な第２の注意食品情報とが格納された注意食品情報格納部にアクセスして、前記第１及び第２の各注意食品情報を検索する注意食品情報検索ステップとを含むことを特徴とする。
【発明の効果】
【００１３】
本発明によれば、薬剤との併用摂取に注意が必要な第１の注意食品情報と、前記傷病に応じて摂取に注意が必要な第２の注意食品情報とが格納された注意食品情報格納部にアクセスして、前記第１及び第２の各注意食品情報を検索するようにしたので、患者に対する適切な食品指導を簡単に行うことができる。
【発明を実施するための最良の形態】
【００１４】
図１に示す電子カルテ装置１０は、診断した傷病及びそれに対する薬剤の処方内容を含む診療記録（カルテ）を電子化して管理する、電子カルテの作成と管理を行う。また、この電子カルテ装置１０は、診断した傷病に応じて処方可能な薬剤を検索する処方支援機能と、傷病や薬剤との関係で摂取に注意が必要な注意食品を検索することで、患者に対する食品指導の支援を行う食品指導支援機能とを備えている。
【００１５】
電子カルテ装置１０は、メインユニット１１，カルテＤＢ（データベース）１２，薬剤情報ＤＢ１３，食品情報ＤＢ１４からなる。メインユニット１１と各ＤＢ１２〜１４は、例えば、ＬＡＮ（ローカルエリアネットワーク）１６で接続されており、メインユニット１１から各ＤＢ１２〜１４へアクセスが可能になっている。
【００１６】
メインユニット１１は、例えば、パーソナルコンピュータやワークステーションをベースに、オペレーティングシステムである制御プログラムと、アプリケーションプログラムである電子カルテプログラムをインストールしたものであり、ＣＰＵ１８，コンソール１９，メモリ２１，ＨＤＤ（ハードディスクドライブ）２２，ＬＡＮインタフェース２３を備えている。
【００１７】
ＣＰＵ１８は、制御プログラムを実行することにより、メインユニット１１の各部を統括的に制御するとともに、電子カルテプログラムが起動されると、カルテ管理部１８ａ，検索部１８ｂとして機能する。ＨＤＤ２２は、周知のデータストレージデバイスであり、制御プログラムや電子カルテプログラム、及びこれらのプログラムを実行するための各種のデータが格納されている。メモリ２１は、ＣＰＵ１８がプログラムを実行するための作業用のメモリであり、ＣＰＵ１８は、ＨＤＤ２２から、このメモリ２１にプログラムをロードして、プログラムを実行する。
【００１８】
コンソール１９は、操作画面やカルテデータを表示するモニタ１９ａと、データや操作コマンドを入力するキーボード１９ｂやマウスなどの入力装置からなる。ＬＡＮインタフェース２３は、ＬＡＮ１６を経由した通信制御を行う。ＣＰＵ１８は、モニタ１９ａに表示される表示画面の表示制御、入力装置から入力されたデータやコマンドの受付制御を行う。
【００１９】
カルテ管理部１８ａは、モニタ１９ａに表示されるカルテ入力画面を通じて診療記録の入力を受け付けて、それに基づいてカルテデータを作成し、作成したデータをカルテＤＢ１２に格納する。診療記録には、症状、検査情報、診断した傷病名（診断病名）などからなる診断内容や、それに応じた薬剤の処方内容が含まれる。また、カルテ管理部１８ａは、患者名や患者ＩＤなどの検索条件に基づいて、カルテＤＢ１２からカルテデータを読み出して、モニタ１９ａに表示する。カルテデータの更新要求がある場合には、その要求を受け付けて更新処理を行う。検索部１８ｂは、薬剤情報ＤＢ１３及び食品情報ＤＢ１４へアクセスして、検索条件に基づいて薬剤情報や食品情報を検索する。
【００２０】
薬剤情報ＤＢ１３は、薬剤名とその効能の対象となる傷病の名称等とを関連付けて格納した薬剤情報格納部である。薬剤情報には、処方の際の注意事項として、薬剤との併用が禁止される併用禁忌薬剤、薬剤との併用に注意が必要な併用注意薬剤などの薬剤の相互作用に関する情報や、アレルギー、副作用等の注意事項が含まれる。
【００２１】
さらに、薬剤情報ＤＢ１３には、こうした薬剤に関する一般的な注意事項に加えて、薬剤との併用摂取に注意が必要な併用注意食品に関する情報（併用注意食品情報）が格納されている。
【００２２】
図２は、薬剤情報ＤＢ１３に格納される薬剤情報の例を示す。血栓塞栓症に効能がある薬剤の１つである、ワレファリンの場合には、例えば、併用注意薬品として、副腎皮質ホルモン剤が挙げられ、併用注意食品としては、ビタミンＫを成分として含む納豆が挙げられる。薬剤情報ＤＢ１３には、薬剤毎にこうした情報が格納されている。
【００２３】
食品情報ＤＢ１４は、傷病の名称と、その傷病に応じて摂取に注意が必要な食品（摂取注意食品）とを関連付けて格納した食品情報格納部である。こうした摂取注意食品の例としては、例えば、図３に示すように、乳ガンに対する大豆イソフラボンなどが挙げられる。
【００２４】
このように、薬剤情報ＤＢ１３と食品情報ＤＢ１４には、薬剤との関係で注意が必要な併用注意食品情報と、傷病との関係で注意が必要な摂取注意食品情報の２種類の注意食品情報がそれぞれ格納されている。検索部１８ｂは、薬剤情報ＤＢ１３にアクセスして、検索条件として受け付けた薬剤名に基づいて、その薬剤に応じた併用注意食品情報を検索するとともに、食品情報ＤＢ１４にアクセスして、検索条件として受け付けた傷病名に基づいて、その傷病に応じた摂取注意食品情報を検索する。
【００２５】
ここで、薬剤情報ＤＢ１３に格納される併用注意食品情報は、請求項の第１の注意食品情報に相当し、食品情報ＤＢ１４に格納される摂取注意食品情報は、請求項の第２の注意食品情報に相当する。このように、本例では、２種類の注意食品情報の一方を薬剤情報ＤＢ１３に、他方を食品情報ＤＢ１４に格納している。薬剤情報ＤＢ１３には、第１の注意食品情報を薬剤情報に含めて格納しているため、薬剤情報格納部として機能するとともに、食品情報格納部としても機能する。なお、こうした２種類の注意食品情報の格納形態は本例に限るものではなく、複数のＤＢに分散して格納してもよいし、１つのＤＢにまとめて格納してもよい。
【００２６】
図４は、コンソール１９からの診療記録の入力を受け付けるとともに、入力されたカルテの内容を表示するカルテ入力画面の例である。カルテ入力画面２６は、既往症，主要症状、経過等を表示する第１領域２７と、処方，手術，処置等を表示する第２領域２８の２つの領域に大きく分かれており、さらに、第２領域２８の横には、操作ボタンを表示する操作パネル２９が設けられている。
【００２７】
操作パネル２９には、入力ボタン２９ａ，処方ボタン２９ｂ，保存ボタン２９ｃ，読み出しボタン２９ｄ，終了ボタン２９ｅが設けられている。入力ボタン２９ａは、データを入力するためのボタンであり、これをマウスなどでクリックすると、データを入力する入力ボックス３１が表示される。第１領域２７をアクティブにして、入力ボタン２９ａをクリックすると、第１領域２７の入力ボックス３１が開き、第２領域２８をアクティブにして、入力ボタン２９ａをクリックすると、第２領域２８の入力ボックス３１が開く。この入力ボックス３１に、キーボードからデータが入力される。これにより、症状、結果、診断病名、検査情報など各種のデータが入力される。保存ボタン２９ｃは、こうして入力したデータを保存するボタンであり、保存が指示されると、入力されたデータがカルテＤＢ１２へ格納される。
【００２８】
読み出しボタン２９ｄは、カルテＤＢ１２から保存したカルテデータを読み出す指示を与えるボタンである。このボタン２９ｄがクリックされると、指定条件を入力するボックスが表示され、ここで、患者ＩＤや患者名を入力して、所望のカルテデータが指定される。終了ボタン２９ｅは、カルテ入力を終了するボタンであり、これがクリックされると、カルテ入力画面２６が閉じられる。
【００２９】
処方ボタン２９ｂは、薬剤を検索する処方支援処理を実行させるためのボタンであり、これをクリックすると、検索部１８ｂが、入力された診断病名に基づいて、処方可能な薬剤を検索する。この処方支援処理に際して、検索部１８ｂは、薬剤情報ＤＢ１３と、食品情報ＤＢ１４にアクセスして、薬剤の検索とともに、注意食品情報を検索する。この検索結果は、モニタ１９ａに表示される。
【００３０】
図５は、検索結果を表示する画面の例である。検索結果表示画面３３は、例えば、上部領域３５と、下部領域３６に分かれている。上部領域３５には、薬剤情報ＤＢ１３から読み出した情報が表示され、下部領域３６には、食品情報ＤＢ１４から読み出した情報が表示される。
【００３１】
上部領域３５には、処方可能な薬剤名が、例えば、表形式でリスト表示される。表示項目としては、薬剤名，効能（傷病名），副作用及び併用注意薬、併用注意食品が含まれる。右端には、薬剤を選択するためのチェックボックスが表示され、リスト表示された薬剤のうちのいずれかにチェックを入れることで、選択情報が入力される。下部領域３６には、傷病に対する摂取注意食品が表示される。これらの注意食品は、食品名で表示してもよいし、食品に含まれる成分名（ビタミンＫなど）で表示してもよい。また、当該成分を含むサプリメント名を表示してもよいし、それらを併記してもよい。また、名称は、一般名称でもよいし、代表的な商品名でもよい。
【００３２】
確定ボタン３７は、薬剤の選択を確定するボタンであり、このボタンがクリックされると、カルテ入力画面２６に選択した薬剤名が入力される。キャンセルボタン３８は、検索結果表示画面を終了させるボタンである。
【００３３】
以下、上記構成による作用について、図６に示すフローチャートを用いて説明する。電子カルテプログラムが起動すると、カルテ入力画面２６が表示される。このカルテ入力画面２６を通じて、診断病名を含む診断内容の入力を受け付ける。処方支援指示を受け付けると、処方支援処理を実行する。処方支援処理では、まず、検索部１８ｂが、薬剤情報ＤＢ１３へアクセスして、診断病名に基づいて処方可能な薬剤の薬剤情報を検索する。この際に薬剤情報に含まれる併用注意食品情報も読み出す。そして、食品情報ＤＢ１４へアクセスして、傷病に対する摂取注意食品情報を検索する。こうした検索を行った後、検索結果表示画面３３に検索結果を表示する。
【００３４】
検索結果には、薬剤の一般的な注意情報に加えて、薬剤との関係で注意が必要な併用注意食品情報とともに、傷病との関係で注意が必要な摂取注意食品情報が表示される。このように、患者に対して、これらの注意食品の摂取を控えるよう指導したり、あるいは、栄養面でのバランスから推奨すべき食品を提案する場合には、それらの注意食品を避けて提案を行うことができる。これにより、従来と比較して、より適切な食品指導を行うことが可能となる。
【００３５】
検索結果に含まれる薬剤のリストから、所望の薬剤が選択されると、その選択情報を受け付ける。確定ボタン３７がクリックされると、処方内容が確定し、カルテ入力画面２６に復帰する。こうした処方内容と診断内容を含む診療記録の保存が指示されると、カルテデータとしてカルテＤＢ１２に格納される。
【００３６】
上記実施形態では、複数の観点（薬剤と傷病との関係）で検索した注意食品を検索結果としてリスト表示する例で説明したが、注意食品の検索に加えて、さらに、傷病との関係で摂取が推奨される推奨食品を検索する機能を設けて、両者を選択的に使用できるようにしてもよい。推奨食品の検索を行うことにより、栄養指導を行うことも可能となる。
【００３７】
また、注意食品を検索して表示するだけではなく、食品の名称の入力を受け付けて、患者が当該食品を摂取することが可能か否かを、上記２つの観点から判定するようにしてもよい。この場合には、例えば、図７に示すように、ＣＰＵ１８を、カルテ管理部１８ａ，検索部１８ｂに加えて、摂取食品の可否判定を行う摂取可否判定処理を実行する摂取可否判定部１８ｃとして機能させる。
【００３８】
図８は、摂取可否判定処理を行う場合の処理手順を示すフローチャートである。上記実施形態と同様に、診断病名に基づいて、処方可能な薬剤を検索した後、検索した薬剤をモニタ１９ａにリスト表示する。このリストから薬剤の選択情報を受け付けた後、摂取可否判定を行うか否かを問い合わせる。摂取可否判定を行う場合には、摂取食品を問い合わせる問い合わせボックスをモニタ１９ａに表示して、食品名の入力を促す。ここで、患者からヒアリングした食品名が入力され、実行指示が与えられると、入力された食品名の摂取可否判定処理が開始される。
【００３９】
摂取可否判定処理では、薬剤情報ＤＢへアクセスして、選択された薬剤の薬剤情報から併用注意食品情報を読み出すとともに、食品情報ＤＢへアクセスして、診断病名に応じた摂取注意食品情報を読み出す。そして、これらの注意食品情報と入力された食品名とを照合して、前記食品名がそれら注意食品情報に含まれるか否かを調べることにより、摂取可否判定を行う。前記食品名が注意食品情報に含まれる場合には、摂取不可、含まれない場合には、摂取可とする判定結果を表示する。別の食品について判定する場合には、上記手順を繰り返す。これにより、例えば、患者が日常的に、あるいは、好んで摂取している食品などについて、傷病や薬剤との関係で摂取可能か否かを簡単に確認することができる。
【００４０】
このように、任意の食品について摂取可否判定を行うことで、例えば、食品指導だけでなく、食物アレルギーの原因究明（アレルギーの原因となる食物の特定）などへ利用することも可能となる。
【００４１】
また、上記摂取可否判定では、傷病と薬剤との関係で摂取に注意が必要な注意食品を調べて、入力された食品がそれに該当するか否かを判定しているが、前記推奨食品の検索に用いてもよい。
【００４２】
この場合には、上記併用注意食品と摂取注意食品に加えて、前記推奨食品情報を、予め食品情報ＤＢ１４に格納しておく。そして、図９のフローチャートに示すように、薬剤の選択情報を受け付けた後、受け付けた傷病や薬剤に基づいて、栄養指導を行う場合には、検索部１８ｂが診断病名に基づいて推奨食品を検索する。そして、摂取可否判定部１８ｃは、薬剤情報ＤＢ１３にアクセスして、併用注意食品情報を読み出し、この併用注意食品情報と、検索した前記推奨食品とを照合して、前記推奨食品が併用注意食品に含まれるか否かを調べることにより、薬剤との関係で摂取が可能な食品か否かを判定する。これにより、前記推奨食品のうち、薬剤との関係で摂取不可とされた食品が取り除かれて、摂取可とされた推奨食品だけが抽出され、そのリストが表示される。
【００４３】
なお、上記実施形態では、傷病との関係で推奨される推奨食品の中から、薬剤との関係で注意を要する併用注意食品を取り除く例で説明しているが、その反対に、薬剤との関係で推奨される推奨食品（例えば、薬剤との関係で良好な相互作用が認められる成分を含む食品）の中から、傷病との関係で注意を要する摂取注意食品を取り除くようにしてもよい。
【００４４】
上記実施形態では、傷病と薬剤という２つの観点から、それぞれ注意食品を検索する例で説明したが、これらに加えて、さらに、ＤＮＡ検査などの検査結果との関係で注意を要する注意食品の検索や、その情報に基づく摂取可否判定を行うようにしてもよい。
【００４５】
上記実施形態では、処方支援機能と食品指導支援機能の２つの機能を電子カルテ装置に設けた例で説明したが、食品指導支援機能だけでもよい。
【００４６】
上記実施形態では、電子カルテ装置を、メインユニットと、カルテＤＢ，薬剤情報ＤＢ及び食品情報ＤＢの各ＤＢとをＬＡＮを介して接続した形態で説明したが、ＬＡＮを介して接続しなくてもよく、メインユニットの内部のデータストレージに各ＤＢをインストールして、ネットワークと接続しないスタンドアロン構成としてもよい。また、ネットワークは、ＬＡＮに限らず、インターネットなどの広域ネットワークでもよい。また、各ＤＢを複数のメインユニットで共有する共有ＤＢとして、この共有ＤＢと複数のメインユニットからなる電子カルテシステムを構成してもよい。
【００４７】
上記実施形態では、電子カルテ装置に食品指導支援機能を設けた形態で説明したが、電子カルテ装置とは切り離して、食品指導支援を行う専用の装置としてもよい。また、本発明を装置の形態で実現した例で説明したが、プログラムの形態でもよい。
【図面の簡単な説明】
【００４８】
【図１】電子カルテ装置の概略を示す構成図である。
【図２】薬剤情報ＤＢに格納される薬剤情報の説明図である。
【図３】食品情報ＤＢに格納される食品情報の説明図である。
【図４】カルテ入力画面の説明図である。
【図５】検索結果表示画面の説明図である。
【図６】注意食品の検索処理の手順を示すフローチャートである。
【図７】摂取可否判定を行う場合の構成図である。
【図８】摂取可否判定を行う場合の処理手順を示すフローチャートである。
【図９】栄養指導を行う場合の処理手順を示すフローチャートである。
【符号の説明】
【００４９】
１０  電子カルテ装置
１１  メインユニット
１２  カルテＤＢ
１３  薬剤情報ＤＢ（薬剤情報格納部、食品情報格納部）
１４  食品情報ＤＢ（食品情報格納部，推奨食品情報格納部）
１８  ＣＰＵ（受付部、表示制御部）
１８ａ  カルテ管理部
１８ｂ  検索部（注意食品情報検索部，薬剤情報検索部，推奨食品情報検索部）
１８ｃ  摂取可否判定部
【図１】
2008217291.tif 000003
【図２】
2008217291.tif 000004
【図３】
2008217291.tif 000005
【図４】
2008217291.tif 000006
【図５】
2008217291.tif 000007
【図６】
2008217291.tif 000008
【図７】
2008217291.tif 000009
【図８】
2008217291.tif 000010
【図９】
2008217291.tif 000011